(57)【要約】【課題】ゴルフのパター練習に使用されるパターマットは、パター練習時に収納棚よりマットを引き出し、また、練習終了時にはマットを収納家具へと運んで、収納棚に収納できるように折り畳んで収納しなければならず、使用の際には出し入れが大変手間であった。【解決手段】室内に設置される収納家具１１は、収納部１２と扉１３、扉１３に取り付けられるパターマット１４から構成され、収納部１２の開口前面には、扉１３が扉１３の上端を手前に回動するように取り付けられ、扉の裏面には、パターマット１４が取り付けられてパターマット１４を扉と固定されない側の先端より折り畳んで収納部１２の内部にパターマット１４を収納する。【選択図】図３
2011019659.tif 000002
【特許請求の範囲】
【請求項１】
収納家具は、扉と収納部、パターマットからなり、扉は扉の上端が手前に回動して開閉される収納家具であって、扉の裏面にはパターマットの一部が取り付けられて、パターマットおよびパターマットが取り付けられた扉の裏面には円形孔が形成され、扉に取り付けられたパターマットは開放された扉の先端側に向かって広げて使用することができ、折り畳んで収納家具内部の収納部に収納することを特徴とした収納家具。
【発明の詳細な説明】
【技術分野】
【０００１】
本発明は、ゴルフのパター練習を行うためのパターマットを取り付けた収納家具に関する。
【背景技術】
【０００２】
収納家具としては、たとえば下記特許文献１に記載されるように、ゴルフに使用されるゴルフ道具・用品を各収納部に収納し、整理整頓をうながし、ゴルフ道具・用品の保護を目的とした収納家具が知られており、収納家具の内部に棚を形成し、パターマット収納棚を形成することが記載されている。
【先行技術文献】
【特許文献】
【０００３】
【特許文献１】実用新案第３００２３９９号公報
【発明の概要】
【発明が解決しようとする課題】
【０００４】
しかしながら、このような収納家具に収納されるパターマットは、パター練習時に収納棚よりマットを引き出し、また、練習終了時にはマットを収納家具へと運んで、収納棚に収納できるように折り畳んで収納しなければならず、使用の際には出し入れが大変手間であった。
【０００５】
したがって、本発明が解決しようとする課題は、上記従来技術のような収納家具に改良を加えて、パターマットの出し入れがしやすく、手軽にパター練習を行えるようにすることを提供することである。
【課題を解決するための手段】
【０００６】
上記の課題を解決するため、請求項１に関わる本発明は、収納家具が扉と収納部、パターマットからなり、扉は扉の上端が手前に回動して開閉される収納家具であって、扉の裏面にはパターマットの一部が取り付けられて、パターマットおよびパターマットが取り付けられた扉の裏面には円形孔が形成され、扉に取り付けられたパターマットは開放された扉の先端側に向かって広げて使用することができ、折り畳んで収納家具内部の収納部に収納することを特徴とした収納家具である。
【発明の効果】
【０００７】
本発明を適用できる収納家具は、扉の上端部が手前方向に回動するように扉が取り付けられており、また、扉の裏面には、開放された扉の先端側に向かって広げられるように、パターマットが取り付けられる。そのため、パターマット使用時には、扉を開放しパターマットを広げるだけでパター練習を行うことができ、収納時には、パターマットの開放先端側よりパターマットを折り畳むだけで収納部にパターマットを収納することができることから、容易にパターマットの取り出しや収納が行えるため、手軽にパター練習を行うことができ、また、パターマットの収納場所に煩わされることもない。
【図面の簡単な説明】
【０００８】
【図１】本発明における実施例１の収納家具を示しており、扉が閉鎖状態における斜視図である。
【図２】図１における収納家具の扉が開放状態における斜視図である。
【図３】図１の収納家具におけるパターマットの収納方法を表した図である。
【図４】図１の収納家具の扉閉鎖状態におけるＡ−Ａ断面図である。
【図５】（ａ）は、図１における収納家具の扉開放状態の側面図である。（ｂ）は、（ａ）のＡ−Ａ部分拡大図である。
【図６】（ａ）は、図１における収納家具の扉の形状を変形した際における扉開放状態の側面図である。（ｂ）は、（ａ）のＡ−Ａ部分拡大図である。
【図７】本発明における実施例１の他の形態の収納家具を表した図である。
【図８】本発明における実施例２の収納家具を表した図である。
【図９】本発明における実施例３の収納家具を表した図である。
【図１０】本発明における実施例４の収納家具を表した図である。
【発明を実施するための最良の形態】
【０００９】
本発明における収納家具は、室内に設置される据え置き収納家具や、壁に取り付けられる壁取り付け収納家具、壁面の厚みを利用した壁面収納家具、クローゼットなどの内部収納家具として形成されてもよい。また、壁面の内部に空間を設け、壁面の開口部前面に直接扉を設けて収納家具とするような構成であってもよい。
【００１０】
収納家具は主に、パターマットなどを収納する収納空間である収納部と、収納部の開口される前方に取り付けられる扉と、扉の裏面に取り付けられ、収納部に折り畳んで収納されるパターマットからなる。
【００１１】
収納家具の収納部は、パターマットが収納される箱状の収納空間であり、高さ４００〜１０００ｍｍ、幅は３００〜９５０ｍｍ、奥行きは８０〜６００ｍｍの範囲から、折り畳まれたパターマットが収容できるような大きさに形成される。収納部は、天板、側板、地板、背板等を箱状に組み立てて構成されても良いし、壁面内部に矩形状の凹所を設けて収納空間を構成してもよい。
【００１２】
収納部は、板材を用いて箱状に組み立てる場合は、木質繊維板、合板、木削片板、単板積層板、無垢の木材、集成材などの木質系材料や、ポリエチレン、ポリプロピレン、ポリスチレン、ポリ塩化ビニルなどからなる合成樹脂板などからなり、その表面の少なくとも露出面には、化粧が施される。化粧材の種類としては、突板や、化粧シート、塗料などが用いられる。また、壁面内部に矩形状に凹所を設けて収納空間とする場合は、収納部の内部にクロスを貼着するなどして化粧を施すとよい。
【００１３】
収納部の内部は、下方はパターマットを収納する空間であり、上方における収納時のパターマットと干渉しないような位置には棚や引き出しなどの収納手段を設けてもよい。また、収納部は、パター練習時には、開放された扉の下端と地板、背板、側板によって、収納部下方が囲われて凹部が形成され、ボール受け部となる。ボール受け部は、パターマットを通り越して外れてしまったボールを受けると共に、扉の下端によって内部のボールが外に転がり出ないように構成されている。
【００１４】
収納家具の扉は、収納部の開口される前面に取り付けられる。扉は、高さ４００〜１０００ｍｍ、幅２６０〜９５０ｍｍ、厚み１５〜３５ｍｍで形成され、木質繊維板、合板、木削片板、単板積層板、無垢の木材、集成材などの木質系材料や、ポリエチレン、ポリプロピレン、ポリスチレン、ポリ塩化ビニルなどからなる合成樹脂板などからなり、その表面の少なくとも露出面には、化粧が施される。化粧材の種類としては、突板や、化粧シート、塗料などが用いられる。
【００１５】
扉は、下部が収納家具の地板あるいは側板と蝶番や枢支軸によって係止され、扉上端が手前に回動するように開閉される。扉は、プッシュラッチなどを取り付けて閉鎖時に扉を押すとラッチが解除され、扉が手前に押し出されて開くようにしてもよいし、扉の表面もしくは表面上端に彫り込み形成される引手を引くことによって開かれるようにしてもよい。また、扉にダンパーなどを設置することで、開放時にスムーズに扉が開放されて、扉が床面に倒れ込むことが無く、床に衝撃を与えることがない。さらに、扉は最大に開放された場合、扉の先端縁が床と接触するように開放されるが、ギアなどを設けることで、扉の開放角度が水平となる位置から扉の先端縁が床と接触する位置の間で、任意の角度で固定できるようにしても良い。
【００１６】
扉の裏面（扉開放状態における扉上面）には、パターマットの一部が取り付けられる。パターマットは、長さ１５００〜１００００ｍｍ、幅２００〜９００ｍｍの範囲から選択され、扉の開閉に係わる金具と接触しないように扉の幅よりも狭く形成されている。パターマットは、ナイロン、ポリエステル、ポリプロピレンなどからなる人工芝やカーペット地のマット、または、不織布などからなるフェルトマットなどである。パターマットの長手方向一端側は、扉の裏面の下端部から任意の長さで接着剤や両面テープ、釘や画鋲によって扉の裏面に貼着されるか、面ファスナーなどで取り外し可能に取り付けられる。また、長手方向他端（先端）側は、取り付けられる扉の先端側に向かって広げられるよう取り付けられる。
【００１７】
パターマット裏面には折り畳み基準プレートと、段差解消プレートがそれぞれ取り付けられる。これらは、合板，木質繊維板、木削片板や無垢の木材などの木質系材料や、ポリエチレン、ポリプロピレン、ポリスチレン、ポリ塩化ビニルなどからなる合成樹脂板、または、ゴム製板状体のいずれかからなる。
【００１８】
折り畳み基準プレートは、開放される扉の先端側に向かって広げられる側の、パターマットの長手方向他端（先端）側裏面に貼着される。折り畳み基準プレートは、長さ（パターマット長手幅に対して）は１００〜２５０ｍｍ、幅（パターマット短手幅に対して）は１８０〜９００ｍｍ、厚みは０．５ｍｍ〜３ｍｍの寸法範囲であり、幅は使用されるパターマットと同じかそれよりも短く形成され、長さは、収納部の高さよりも短く形成される。幅はパターマットを折り畳む際には、パターマットの折り畳みプレートが取り付けられた部分を折り返して、折り畳み基準プレートを巻き取るようにパターマットを折り畳む。これによって、折り畳まれたパターマットは扉の裏面上に載置され、扉を閉めることでパターマットが収納部に移動し、扉が閉じられることでパターマットは収納部に収納される。また、使用者が収納部に折り畳まれたパターマットを収納して扉を閉じてもよい。さらに、折り畳み基準プレートを設けずに、使用者が任意の長さでパターマットを巻き取り、または、折り畳んで収納部へ収納してもよい。
【００１９】
段差解消プレートは、パターマットを広げた状態において扉の上端と床が接触する箇所のパターマット裏面に貼着される。段差解消プレートは、長さ（パターマット長手幅に対して）は１００〜２５０ｍｍ、幅（パターマット短手幅に対して）は２００〜９００ｍｍ、厚みは１ｍｍ〜３ｍｍの寸法範囲であり、幅はパターマットと同じ幅で形成され、使用される段差解消プレートの材質によって異なる。段差解消プレートを、軟質な部材とする場合は、パターマットを折り畳む際、折り畳まれる折り目位置に段差解消プレートがあったとしても変形して折り目に沿って折り畳むことができる。そのため、長さは任意の長さで形成される。また、木質板などの硬質な板材を使用する場合には折り返し基準プレートと同じ長さか、それよりも短い長さで形成され、且つ、パターマットを折り畳む際、折り畳まれる折り目位置に段差解消プレートが位置しないような箇所に取り付ける必要がある。
【００２０】
段差解消プレートは、扉の先端縁が床に接触した場合、扉の先端から床との間にまたがって扉の先端と床との間に生じる段差を解消する。また、扉が水平位置から床と接触する位置の間で、任意の角度で固定されて開放される場合も、段差解消プレートが扉の先端と床との間にまたがることで、扉の先端と床との間に生じる隙間による段差を解消する。さらに、床と扉の段差解消方法としては、床と接触する扉の先端付近に扉表面から裏面先端にかけて扉の厚みを薄くするような傾斜面を設け、傾斜面、もしくは、扉の先端にあたる傾斜面の先端を床と接触させることで扉の厚みによる段差を解消する方法がある。この場合、段差解消プレートは設けられなくてもよい。
【００２１】
パターマットおよびパターマットが取り付けられる扉の裏面には、直径６０〜２２０ｍｍで、深さが１０〜２０ｍｍ程度で形成されパター練習の際のカップとなり得る円形孔が少なくとも１つ形成される。円形孔の内部は、塗装を施すことで装飾してもよいし、円形孔と同形状の金属製やプラスチック製の装飾材によって、円形孔内部に傷などが付かないように保護されてもよいし、ボールが円形孔に落ちる際の衝撃音を軽減するためにフェルトや人工芝で円形孔の内部を覆ってもよい。
【００２２】
パターマットの両側部であって扉の裏面上には、パター練習を行う際に扉の裏面側部から床へとボールが転がり落ちないように支持材を取り付けても良い。支持材は、扉を閉鎖すると収納部に納まる範囲の高さ、幅で形成され、木質板や、プラスチック板などの板材や、ゴムやクッション材などの弾性体などの任意のものが選択される。支持材は、面ファスナーなどで扉の裏面より取り外し可能に取り付けられても良いし、単に載置されるだけでも良い。
【実施例１】
【００２３】
図１〜図４を参照して、本発明の実施例１による収納家具１１について説明する。この収納家具１１は、板材を箱状に組み立て、その内部をパターマット１４などが収納される収納部１２とし、収納部１２の開口前方に、パターマット１４が取り付けられた扉１３が設けられて構成されている。収納家具１１は、高さ５５６ｍｍ、幅３７５ｍｍ、奥行き１２８ｍｍに組み立てられる。
【００２４】
実施例１における収納部１２は、高さ５２０ｍｍ、幅が３３９ｍｍ、奥行きは９７．５ｍｍで形成されている。図２に示されるように、収納部１２からパターマット１４が広げられパター練習を行う場合、収納部１２の内部下端と扉１３の下端によって囲われてボール受け部１５が形成される。また、収納部１２にパターマット１４が収納された際に、折り畳まれたパターマット１４と接触しないような位置に棚板１９が設けられる（図２、図３、図４）。棚板１９は収納部１２の上端から１００ｍｍ程度の位置に設けられる。
【００２５】
また、収納部１２の開口前面に設けられる扉１３は、高さ５２０ｍｍ、幅３３９ｍｍ、厚み２１ｍｍであり、扉１３は扉１３の木口面下端付近を軸（図示せず）によって係止されており、軸を支点に扉１３の上端が手前に回動し開かれる。扉１３は、扉１３の上端部に取り付けた金具（図示せず）を収納部１２の内方側面に取り付けたマグネット式のプッシュラッチ（図示せず）によって閉鎖状態に保持され、扉を閉じ方向に押すことによってプッシュラッチによって手前に回動される。扉１３の下端にはダンパー１１０が設けられているため、開放時にスムーズに扉１３が開放され、扉１３が床面に倒れ込むことが無く、床に衝撃を与えることがない。
【００２６】
扉１３の裏面には、扉１３の下端から４００ｍｍの位置までパターマット１４が貼着され、パターマット１４とパターマット１４が取り付けられた扉１３には、パター練習の際のカップとなる円形孔１６が形成されている。円形孔１６は、扉１３の下端側付近に深さ１５ｍｍ、直径７０ｍｍで形成され、さらに、扉１３の中央付近には、深さ１５ｍｍ、直径１００ｍｍ程度で形成される。二つの円形孔１６は、直線上で重ならないよう、ずれて形成されている。円形孔１６の内部には不織布が施されており、円形孔にボールが落ちる際の衝撃音を軽減したり、内部に傷が付かないように保護されている。
【００２７】
パターマット１４は、長さ２５００ｍｍ、幅３００ｍｍで、開放される扉１３の先端側に向かって広げられるようパターマット１４の長手方向端部を扉１３の下端に合わせて、扉１３の下端から４００ｍｍの位置まで接着剤で貼着する。このとき、パターマット１４は、扉１３の開閉に係わるダンパー１０などの金具と接触しないように取り付けられる。
【００２８】
パターマット１４は、扉の開放される先端側に向かって広げられる側の先端裏面に、パターマット１４を収納部１２へと折り畳んで収納する際に、折り畳む基準幅となる折り畳み基準プレート１７が貼着される（図２、図３）。折り畳み基準プレート１７は、長さ（パターマット長手幅に対して）は１５０ｍｍ、幅（パターマット短手幅に対して）は３００ｍｍ、厚さが０．７ｍｍで形成される。パターマット１７を折り畳む際には、パターマット１４の折り畳み基準プレート１７が取り付けられた部分を折り返して、折り畳み基準プレート１７を巻き取るようにパターマット１４を折り畳む。これによって、折り畳まれたパターマット１４は扉１３の裏面上に載置され、扉１３を閉めることでパターマット１４が収納部１２に移動し、扉１３が閉じられることでパターマット１４は収納部１２に収納される（図４）。また、使用者が収納部１２に折り畳まれたパターマット１４を収納してから扉１３を閉じてもよい。
【００２９】
パターマット１４を広げた状態において、扉１３の先端が床と接触する箇所のパターマット１４裏面には、段差解消プレート１８が貼着される（図２）。段差解消プレート１８は、長さ（パターマット長手幅に対して）は１５０ｍｍ、幅（パターマット短手幅に対して）は３００ｍｍで、厚さが０．７ｍｍで形成される。段差解消プレート１８は、扉１３に取り付けられる側のパターマット１４先端部から４８０ｍｍの位置から接着剤により取り付けられる。段差解消プレート１８は、扉１３の先端縁が床との間に生じる段差を解消する。
【００３０】
図５は、本発明における扉１３の他の構成を、実施例１の収納家具にて表したものである。図５（ａ）は、図１〜４における扉１３ａが開放状態にある場合の収納家具１１ａの側面図を表しており、（ｂ）は、（ａ）におけるＡ−Ａ部分拡大図である。また、図６（ａ）は、図５と同様の収納家具１１ｂにおいて、他の構成の扉１３ｂを使用した場合における扉１３ｂが開放状態の収納家具の側面図を表しており、（ｂ）は、（ａ）におけるＢ−Ｂ部分拡大図である。
【００３１】
図５の扉１３ａは、扉に厚みがあるため、扉の先端の角部が床Ｆと接触すると、扉の厚さ分床と扉の先端との間に段差が生じてしまう。そのため、パターマット裏面に段差解消プレート１８ａを取り付けることで、段差を解消している。これに対し、図６の扉１３ｂは、扉１３ｂの先端に傾斜面１２０を設けている。そのため、扉１３ｂが開放状態になり扉１３ｂの先端と床Ｆとが接すると、扉１３ｂの先端に形成される傾斜面１２０が床Ｆと当接し、扉１３ｂと床Ｆとの間の段差を解消する。なお、図６の構成においては、扉１３ｂが床Ｆと当接する場合、段差解消プレート１８をパターマット１４ｂの裏面に貼着しなくともよい。
【００３２】
図７は、本発明における実施例１の他の形態を表したものである。図７の収納具１１１は、天板１１２と左右の側板１１３、および、左右の側板１１３の間に中仕切り１１４を設けて２つの収納空間を形成しており、一方側の収納空間１１８には衣類などをハンガーに掛けてハンガーバーに吊り下げて収納したり、長尺なゴルフバッグなどを収納する収納空間を形成している。他方側の収納空間１１９には、側板１１３と中仕切り１１４の内側側面に形成されたダボ穴１１５にダボを嵌め込み、棚板１１６を設けて折り畳まれた衣類や帽子、小物などを収納する収納棚を形成している。さらに、この他方側の収納空間１１９の下方内部に収納家具１１を内蔵させている。収納家具１１は、箱状の収納部１２と、収納部１２の開口全面に取り付けられる扉１３と、扉１３の裏面に取り付けられるパターマット１４から構成されている。これら収納具１１１の前面には、開き戸や折れ戸、引戸などを設けてもよいし、収納具１１１を壁面内部に形成した空間内部に設置して、壁面の開口前面に折れ戸や開き戸、引戸などを取り付けてもよい。
【００３３】
収納具１１１は、高さ１９９５ｍｍ、全幅１５１５ｍｍ、奥行き６００ｍｍで形成され、一方側の収納空間１１８は幅１０３５ｍｍ、他方側の収納空間１１９は４３５ｍｍで形成される。他方側の収納空間１１９の内部に内蔵される収納家具１１は、高さ５５６ｍｍ、幅が４３５ｍｍ、奥行き６００ｍｍの箱状に形成され、収納家具１１の内部の収納部１２は、高さ５２０ｍｍ、幅が３７８ｍｍ、奥行きは５６９．５ｍｍで形成される。また扉は、高さ５２０ｍｍ、幅３９９ｍｍ、厚さ２１ｍｍで形成される。パターマット１４などのその他の収納家具に係わる構成は、上記図１から４に関わる実施例１と同様に構成されるため説明を省略する。
【実施例２】
【００３４】
図８は、本発明における実施例２の収納家具２１を表したものである。収納家具２１は、天板２１２、左右の側板２１３、地板、背板を箱状に形成して高さ１７６０ｍｍ、幅が３７５ｍｍ、奥行き１２８ｍｍでの寸法で形成され上部より１２０４ｍｍの位置に中仕切り２１４を設けることで収納部を上下に分けている。中仕切り２１４によって設けられる、上方の一方側の収納空間２１８は、ゴルフクラブなどをディスプレイしたりするような収納空間としている。また、下方の他方側の収納空間２１９は、開口前面にパターマット２４が取り付けられた扉２３を設けることで他方側の収納空間を収納部２２としている。図８における収納家具２１の収納部２２、扉２３、パターマット２４のそれぞれの寸法、その他の構成に関しては実施例１の図１〜４の収納家具１１と同様に形成されるため説明を省略する。
【実施例３】
【００３５】
図９は、本発明における実施例３の収納家具３１を表したものである。図９の収納家具３１は、天板３１２と左右の側板３１３、および、左右の側板３１３の間に中仕切り３１４を設けて２つの収納空間を形成しており、一方側の収納空間３１８には、衣類などをハンガーに掛けてハンガーバーに吊り下げて収納したり、長尺なゴルフバッグなどを収納する収納空間を形成している。他方の収納空間３１９には、側板３１３と中仕切り３１４の向かい合う面のそれぞれ対応した位置にダボ穴３１５を形成し、ダボを嵌め込みその上部に棚板３１６を設けて折り畳まれた衣類や帽子、小物などを収納する収納棚を形成しており、この収納棚で区切られた下方の収納空間の一部を収納部３２とし、収納部３２の開口前面にパターマット３４が取り付けられた扉３３を設けたものである。これら一方側の収納空間３１８、および、他方側の収納空間３１９が形成されるような収納家具３１の前面には、開き戸や折れ戸、引戸などを設けてもよいし、収納家具３１を壁面内部に形成した空間内部に形成して、壁面の開口前面に折れ戸や開き戸、引戸などを取り付けてもよい。
【００３６】
収納家具３１は、高さ１９９５ｍｍ、全幅１５１５ｍｍ、奥行き６００ｍｍで形成され、一方側の収納空間３１８は幅１０３５ｍｍ、他方側の収納空間３１９は４３５ｍｍで形性される。他方側の収納空間３１９の内部に形成される収納部３２は、高さ５２０ｍｍ、幅が４３５ｍｍ、奥行きは５６９．５ｍｍで形成される。また扉は、高さ５２０ｍｍ、幅４３５ｍｍ、厚さ２１ｍｍで形成される。パターマット３４などのその他の収納家具３１に係わる構成は、実施例１と同様に構成されるため説明を省略する。
【実施例４】
【００３７】
図１０より、本発明における実施例４の収納家具４１について説明する。この収納家具４１は、壁面４１１に矩形状の凹所を設け、凹所の内部を収納部４２とし、収納部４２の開口前面にパターマット４４が取り付けられた扉４３を取り付けた構成である。
【００３８】
収納部４２は、高さ５２０ｍｍ、幅が３３５ｍｍ、奥行き９７．５ｍｍに形成される。収納部４２の開口全面に取り付けられる扉４３、および、パターマット４４などのその他の収納家具４１に係わる構成は、実施例１と同様に構成されるため説明を省略する。
【産業上の利用可能性】
【００３９】
本発明は、集合住宅や一般住宅などに設置される収納家具に対して幅広く利用可能である。
【符号の説明】
【００４０】
１１、２１、３１、４１、１１ａ、１１ｂ  収納家具
１２、２２、３２、４２  収納部
１３、２３、３３、４３、１３ａ，１３ｂ  扉
１４、２４、３４、４４、１４ａ、１４ｂ  パターマット
１５、２５、３５、４５  ボール受け部
１６、２６、３６、４６  円形孔
１７  折り畳み基準プレート
１８、１８ａ  段差解消プレート
１９、２９、１１６、３１６  棚板
１１０、２１０、３１０、４１０  ダンパー
１１１  収納具
１１２、２１２、３１２  天板
１１３、２１３、３１３  側板
１１４、２１４、３１４  中仕切り
１１５、３１５  ダボ穴
１１７、３１７  ハンガーパイプ
１１８、２１８、３１８  一方側の収納空間
１１９、２１９、３１９  他方側の収納空間
１２０  傾斜面
４１１  壁面
Ｆ  床
【図１】
2011019659.tif 000003
【図２】
2011019659.tif 000004
【図３】
2011019659.tif 000005
【図４】
2011019659.tif 000006
【図５】
2011019659.tif 000007
【図６】
2011019659.tif 000008
【図７】
2011019659.tif 000009
【図８】
2011019659.tif 000010
【図９】
2011019659.tif 000011
【図１０】
2011019659.tif 000012